(57)【要約】【課題】  係止連結を解除しバケット体を下方へ回動して運搬物を十分に排出させるだけで、厄介な昇降取付部の昇降操作をすることなく、弾性体の戻り付勢力によってバケット体が戻り回動して再び自動係止連結固定する走行体取付用の運搬バケット並びに運搬機を提供すること。【解決手段】  走行体１の昇降取付部２に取り付ける取付基体３に支点部５を設け、この支点部５にバケット体４を枢着すると共に、この取付基体３に設けた連結解除部６にバケット体４の上部連結部７を連結解除自在に係止連結して、連結解除部６と上部連結部７との連結を解除することで支点部５を支点にバケット体４が下方へ回動するように構成し、このバケット体４と取付基体３とに接続され前記回動したバケット体４を戻り回動付勢する弾性体８を設け、この弾性体８の弾性度を、前記回動したバケット体４から運搬物10が滑走排出すると、少なくともバケット体４の重量に戻り回動付勢が勝って自動的にバケット体４が戻り回動し連結解除部６に上部連結部７が自動係止連結する強さに設定する。【選択図】      図６
2005146640.tif 000002
【特許請求の範囲】
【請求項１】
走行体に取り付けられ、土や雪などの運搬物を運搬することができる運搬バケットであって、前記走行体に操作によって昇降駆動するように設けられている昇降取付部若しくはこの昇降取付部に取り付ける取付基体にバケット体を設けてバケット体を走行体に対して昇降自在に設けられるように構成し、前記昇降取付部若しくは前記取付基体に設けた支点部に前記バケット体を枢着すると共に、この昇降取付部若しくは取付基体に設けた連結解除部に前記バケット体の前記枢着部より上部の上部連結部を連結解除自在に係止連結して昇降取付部若しくは取付基体にバケット体を設ける構成として、操作により前記連結解除部とバケット体の上部連結部との連結を解除することで前記支点部を支点に前記バケット体が重量によって下方へ回動するように構成すると共に、このバケット体と前記走行体又は前記走行体の昇降取付部若しくはこの昇降取付部に取り付ける前記取付基体とに接続され前記回動したバケット体を戻り回動付勢する弾性体を設け、この弾性体の弾性度を、前記バケット体に運搬物を収納している際に前記連結解除部とバケット体の上部連結部との連結を解除すると、バケット体が付勢力に抗して自動的に下方へ回動し、この回動したバケット体から運搬物が滑走排出すると、少なくともバケット体の重量に前記戻り回動付勢が勝って自動的にバケット体が戻り回動し前記連結解除部にバケット体の上部連結部が自動係止連結する強さに設定したことを特徴とする走行体取付用の運搬バケット。
【請求項２】
前記弾性体は、コイルバネを採用し、一端を前記走行体又は前記走行体の昇降取付部若しくはこの昇降取付部に取り付ける前記取付基体に接続し、他端を前記バケット体の前記枢着部より上部に接続したことを特徴とする請求項１記載の走行体取付用の運搬バケット。
【請求項３】
前記走行体に操作によって昇降駆動するように設けられている前記昇降取付部に取り付ける前記取付基体にバケット体を設けて、このバケット体を走行体に対して昇降自在に設けられるように構成し、前記取付基体に設けた支点部に前記バケット体を枢着すると共に、この取付基体に設けた連結解除部に前記バケット体の前記枢着部より上部の上部連結部を連結解除自在に係止連結して取付基体にバケット体を設ける構成としたことを特徴とする請求項１，２のいずれか１項に記載の走行体取付用の運搬バケット。
【請求項４】
前記連結解除部並びにこの連結解除部と係止連結する前記バケット体の上部連結部を共に上部に設け、この連結解除部と上部連結部との係止連結を解除する解除操作部を前記走行体の運転席の運転者が手を伸ばせば届く位置若しくは運転席に設けたことを特徴とする請求項１〜３のいずれか１項に記載の走行体取付用の運搬バケット。
【請求項５】
前記バケット体と前記走行体又は前記走行体の昇降取付部若しくはこの昇降取付部に取り付ける前記取付基体とに連結され、下方へ回動する際のバケット体の過回動を阻止して前記弾性体が破損することを阻止する連結部材を設けたことを特徴とする請求項１〜４のいずれか１項に記載の走行体取付用の運搬バケット。
【請求項６】
前記請求項１〜５のいずれか１項に記載の運搬バケットをトラクターなどの走行体に設けたことを特徴とする運搬機。
【発明の詳細な説明】
【技術分野】
【０００１】
本発明は、トラクターなどの走行体に取り付けて、土や雪を運搬し、あるいは走行することで土を集めながら運搬し、所定場所に排出することも可能な走行体取付用の運搬バケット、並びにこの運搬バケットを走行体に取り付けた運搬機に関するものである。
【背景技術】
【０００２】
底板の左右と背部に支承板（左右側板と背板）を立直した（先端並びに上部が開口した）箱形の運搬バケットを、例えばトラクターの前部或いは後部の取付部（一般的にはトラクターの後部の昇降取付部）に取り付け、このトラクターを移動させてバケット体内に土や雪を押し入れて運搬したり、あるいは土導入板を接地しながら走行してこの土導入板に導かれる土を収納しながら運搬したりするトラクター取付用の運搬バケットが農家等で多用されている（例えば、特許文献１参照。）。
【０００３】
この運搬バケットは、前述のように走行しながら土を導入しつつ運搬し他所に排土して整地する整地機として用いたり、土（あるいはその他土に類する物）をパワーショベルのように運搬したり整地したり、また冬においては大形除雪具として用いられている。
【０００４】
例えば、この箱形の運搬バケットを昇降駆動できる昇降取付部に回動自在に取り付け、この昇降取付部を下降してバケット体を接地若しくは地面に近接した位置に下げてトラクターを前進あるいは後退させ、盛土や積雪に対して進行させると、このバケット体の先端側から基端側へと一般のスコップなどに比べればかなりの土や雪が一挙に導入される。そして、昇降取付部を上昇してこのバケット体を持ち上げ、トラクターを後退あるいは前進し所望位置へ走行する。
【０００５】
例えば、土や雪を捨てる低地や側溝などへ運搬し、固定保持していた回動ロック機構（係止連結）を解除操作するとバケット体は自動的に下方へ回動し、運搬してきた土や雪は先端部から下方の低地や側溝内へと滑走落下することとなる。
【０００６】
このように、従来の運搬バケットは、走行体の昇降取付部を利用して例えば既存のトラクターなどの走行体に対して容易に昇降自在に設けられ、労力を要せず多量の土や雪を収納・運搬できる。
【０００７】
また、この昇降取付部やこの昇降取付部に取り付ける取付基体の支点部にバケット体を枢着し、このバケット体の上部連結部と，昇降取付部あるいは取付基体の解除連結部とを係止連結解除自在に連結し、運搬した土や雪を滑走排出したときに、運転者の操作によってこの連結を解除すると、バケット体は支点部を支点に下方へその重みで自動的に回動して排出させることができ、所謂ワンタッチ操作で所望の場所へ排出できることとなる。
【０００８】
【特許文献１】特開２００３−１７６５１８号公報
【発明の開示】
【発明が解決しようとする課題】
【０００９】
しかしながら、従来の運搬バケットは、上記したように自動排出できるが、排出後再びバケット体を戻り回動させて連結固定するためには、走行体を走行させてできるだけ運搬物を滑走排出させつつ、排出に際し上昇位置にあった昇降取付部を下降させ、この昇降取付部の下降によって先端が接地あるいは略接地するバケット体を相対的に戻り回動させて再び係止連結固定し、この再連結後バケット体を引きずらないようにすべく、すかさず昇降取付部を上昇させてバケット体を持ち上げればならない。
【００１０】
このようなバケット体を元に戻す際の昇降取付部の操作は、運転者が運搬物の排出状況やバケット体の昇降位置，再連結の有無等を確認しつつ操作しなければならないために非常に厄介であり、運転操作に加えてこのバケット操作も必要となるためかなりの熟練を要する。
【００１１】
本発明は、このような問題点を見い出し、これを簡易な改良によって解決して、簡単な操作で前記作業が容易に行なえる、即ち、係止連結を解除してバケット体を下方へ回動して運搬物を排出させ、そのまま走行する等してバケット体から運搬物を十分に排出させるだけで、昇降取付部の昇降操作をすることなく、昇降取付部が下降した位置になくても、そのまま弾性体の戻り付勢力によって、バケット体が戻り回動して再び自動係止連結固定する画期的な走行体取付用の運搬バケット並びに運搬機を提供するものである。
【課題を解決するための手段】
【００１２】
添付図面を参照して本発明の要旨を説明する。
【００１３】
走行体１に取り付けられ、土や雪などの運搬物10を運搬することができる運搬バケットであって、前記走行体１に操作によって昇降駆動するように設けられている昇降取付部２若しくはこの昇降取付部２に取り付ける取付基体３にバケット体４を設けてバケット体４を走行体１に対して昇降自在に設けられるように構成し、前記昇降取付部２若しくは前記取付基体３に設けた支点部５に前記バケット体４を枢着すると共に、この昇降取付部２若しくは取付基体３に設けた連結解除部６に前記バケット体４の前記枢着部より上部の上部連結部７を連結解除自在に係止連結して昇降取付部２若しくは取付基体３にバケット体４を設ける構成として、操作により前記連結解除部６とバケット体４の上部連結部７との連結を解除することで前記支点部５を支点に前記バケット体４が重量によって下方へ回動するように構成すると共に、このバケット体４と前記走行体１又は前記走行体１の昇降取付部２若しくはこの昇降取付部２に取り付ける前記取付基体３とに接続され前記回動したバケット体４を戻り回動付勢する弾性体８を設け、この弾性体８の弾性度を、前記バケット体４に運搬物10を収納している際に前記連結解除部６とバケット体４の上部連結部７との連結を解除すると、バケット体４が付勢力に抗して自動的に下方へ回動し、この回動したバケット体４から運搬物10が滑走排出すると、少なくともバケット体４の重量に前記戻り回動付勢が勝って自動的にバケット体４が戻り回動し前記連結解除部６にバケット体４の上部連結部７が自動係止連結する強さに設定したことを特徴とする走行体取付用の運搬バケットに係るものである。
【００１４】
また、前記弾性体８は、コイルバネを採用し、一端を前記走行体１又は前記走行体１の昇降取付部２若しくはこの昇降取付部２に取り付ける前記取付基体３に接続し、他端を前記バケット体４の前記枢着部より上部に接続したことを特徴とする請求項１記載の走行体取付用の運搬バケットに係るものである。
【００１５】
また、前記走行体１に操作によって昇降駆動するように設けられている前記昇降取付部２に取り付ける前記取付基体３にバケット体４を設けて、このバケット体４を走行体１に対して昇降自在に設けられるように構成し、前記取付基体３に設けた支点部５に前記バケット体４を枢着すると共に、この取付基体３に設けた連結解除部６に前記バケット体４の前記枢着部より上部の上部連結部７を連結解除自在に係止連結して取付基体３にバケット体４を設ける構成としたことを特徴とする請求項１，２のいずれか１項に記載の走行体取付用の運搬バケットに係るものである。
【００１６】
また、前記連結解除部６並びにこの連結解除部６と係止連結する前記バケット体４の上部連結部７を共に上部に設け、この連結解除部６と上部連結部７との係止連結を解除する解除操作部９を前記走行体１の運転席の運転者が手を伸ばせば届く位置若しくは運転席に設けたことを特徴とする請求項１〜３のいずれか１項に記載の走行体取付用の運搬バケットに係るものである。
【００１７】
また、前記バケット体４と前記走行体１又は前記走行体１の昇降取付部２若しくはこの昇降取付部２に取り付ける前記取付基体３とに連結され、下方へ回動する際のバケット体４の過回動を阻止して前記弾性体８が破損することを阻止する連結部材14を設けたことを特徴とする請求項１〜４のいずれか１項に記載の走行体取付用の運搬バケットに係るものである。
【００１８】
また、前記請求項１〜５のいずれか１項に記載の運搬バケットをトラクターなどの走行体１に設けたことを特徴とする運搬機に係るものである。
【発明の効果】
【００１９】
本発明は上述のように構成したから、従来例と同様に、所謂ワンタッチ操作でバケット体を下方へ回動させて運搬物（土や雪など）を所望の場所へ自動排出できると共に、回動したバケット体を元の状態に戻すことも、従来例のような厄介な昇降取付部（バケット体）の昇降操作を要することなく、単にバケット体から運搬物を十分に排出させるだけで弾性体の戻り付勢力によりバケット体が戻り回動して再び自動係止連結固定することになるので容易に行われることとなり、しかも、このバケット体の自動復帰構造は、単にバケット体と走行体又は昇降取付部若しくは取付基体とに、バケット体に運搬物が収納されている状態ではこの重量に勝ることができず、且つ下方へ回動したバケット体から運搬物が滑走排出すると少なくともバケット体の重量に勝る弾性度の弾性体を設けるだけで構成できるため、本発明は従来例に対し簡易な改良を施すことで構成可能であり、実現化が容易で量産性に秀れることになるなど、極めて実用性に秀れた画期的な走行体取付用の運搬バケットとなる。
【００２０】
また、請求項２記載の発明においては、弾性体をコスト安に構成可能となり、しかも、バケット体の自動戻り回動作用を確実に発揮する弾性体の接続構造を簡易構造にして容易に設計実現可能となる一層実用性に秀れた構成の走行体取付用の運搬バケットとなる。
【００２１】
また、請求項３記載の発明においては、取付基体にバケット体を設けてこの取付基体を走行体の昇降取付部に取り付けする構成としたから、昇降取付部に直接バケット体を設ける構成に比べて、昇降取付部を有する走行体に対して本発明品をアタッチメントとして取付使用できる構成を簡易に設計実現可能となる一層汎用性に秀れ、実用性に秀れた構成の走行体取付用の運搬バケットとなる。
【００２２】
また、請求項４記載の発明においては、走行体の運転者が解除操作部の解除操作、即ちバケット体内の運搬物の排出操作を非常に簡易に行うことができ、しかも、連結解除部と上部連結部とは共に上部に設けているため、この連結解除部と上部連結部との係止連結構造を簡易に設計実現可能となる上、運転者が操作し易い位置に設けられるこの係止連結構造の解除操作部との連動構造も簡易に設計実現可能となるなど、一層実用性に秀れた構成の走行体取付用の運搬バケットとなる。
【００２３】
また、請求項５記載の発明においては、バケット体が必要以上に過回動することによってこのバケット体に自動戻り回動力を付与する弾性体が破損してしまうことを確実に阻止できる一層商品性・実用性に秀れた構成の走行体取付用の運搬バケットとなる。
【００２４】
また、請求項６記載の発明においては、前記作用・効果を発揮する極めて実用性に秀れた画期的な運搬機となる。
【発明を実施するための最良の形態】
【００２５】
好適と考える本発明の最良の形態（発明をどのように実施するのが最良か）を、図面に基づいて本発明の作用効果を示して簡単に説明する。
【００２６】
例えば、トラクターなどの走行体１の昇降取付部２若しくはこの昇降取付部２に取り付ける取付基体３にバケット体４を設けると、このバケット体４を、走行体１を走行しながら土を導入しつつ他所に排土して整地する整地機として用いたり、土（あるいはその他土に類する物）をパワーショベルのように運搬したり整地したり、また冬期においては大形除雪具として用いることができる。
【００２７】
具体的には、図５に示すように昇降取付部２を下降してバケット体４を接地若しくは地面に近接した位置に下げて走行体１を前進あるいは後退させ、盛土や積雪に対して進行させると、このバケット体４内に土や雪が導入される。そして、昇降取付部２を上昇してこのバケット体４を持ち上げ、走行体１を後退あるいは前進し所望位置へ走行する。
【００２８】
例えば、土や雪を捨てる低地や側溝などへ運搬し、バケット体４を固定保持していた連結解除部６を解除操作して上部連結部７への係止連結を解除すると、バケット体４は運搬物10（土や雪）を含んだ重量により弾性体８の付勢力に抗して支点部５を支点に自動的に下方へ回動し、土や雪は先端部から下方の低地や側溝内へと滑走落下することとなる。
【００２９】
即ち、従来例と同様に、所謂ワンタッチ操作で運搬物10を所望の場所へ排出できる。
【００３０】
下方へ回動したバケット体４から運搬物10が滑走排出することでバケット体４が軽くなると、少なくともバケット体４の重量に勝る前記弾性体８の戻り回動付勢力により自動的にバケット体４が戻り回動し、連結解除部６にバケット体４の上部連結部７が自動係止することになる。
【００３１】
また、この際、例えば、図６のようにバケット体４から排出した運搬物10が地面に山積みになって十分に排出されず、バケット体４内に残ったまま地面に積まれたこの運搬物10によりバケット体４の自動戻り回動が阻止されてしまうような場合には、例えば、単にそのまま排出した運搬物10から離れるように走行体１を走行させてバケット体４内から十分に運搬物10を排出するなどの簡単な操作を行うことで、前記自動戻り回動が行われる。
【００３２】
即ち、単に係止連結を解除してバケット体４を下方へ回動して運搬物10を排出させ、場合によってはそのまま走行する等してバケット体４から運搬物10を十分に排出させるだけで、従来例のような厄介な昇降取付部２の昇降操作をすることなく、且つ昇降取付部２が下降した位置になくても、そのまま弾性体８の戻り付勢力によって、バケット体４が戻り回動して再び自動係止連結固定する画期的な走行体取付用の運搬バケットを提供できることとなる。
【００３３】
また、例えば、前記弾性体８は、コイルバネを採用し、一端を前記走行体１又は前記走行体１の昇降取付部２若しくはこの昇降取付部２に取り付ける前記取付基体３に接続し、他端を前記バケット体４の前記枢着部より上部に接続すれば、弾性体８を簡易に且つコスト安に設計実現可能となる上、この弾性体８の他端がバケット体４の枢着部より上部に接続されることで、下方へ回動したバケット体４を弾性体８が効果的に引っ張ることができて極めて良好な自動戻り回動付勢力を発揮できることとなる。
【００３４】
また、例えば、前記走行体１に操作によって昇降駆動するように設けられている前記昇降取付部２に取り付ける前記取付基体３にバケット体４を設けて、このバケット体４を走行体１に対して昇降自在に設けられるように構成し、前記取付基体３に設けた支点部５に前記バケット体４を枢着すると共に、この取付基体３に設けた連結解除部６に前記バケット体４の前記枢着部より上部の上部連結部７を連結解除自在に係止連結して取付基体３にバケット体４を設ける構成とすれば、バケット体４を回動自在に設けることも、連結解除部６と上部連結部７とを連結解除自在に連結する構造も、昇降取付部２には何ら構造変更を伴わずに設計可能となり、この昇降取付部２を有する走行体１に対してアタッチメントとして取付使用できる構成も簡易に設計実現可能となる。
【００３５】
また、例えば、連結解除部６並びにこの連結解除部６と係止連結する前記バケット体４の上部連結部７を共に上部に設け、この連結解除部６と上部連結部７との係止連結を解除する解除操作部９を走行体１の運転席の運転者が手を伸ばせば届く位置若しくは運転席に設ければ、走行体１の運転者は解除操作部９の操作によりバケット体４内の運搬物10の排出操作を非常に簡易に行うことができ、しかも、係止連結する連結解除部６と上部連結部７とは共に上部に設けているため、この係止連結構造を簡易に設計実現可能である上、運転者が操作し易い位置に設けるこの係止連結構造の解除操作部９との連動構造も簡易に設計実現可能となる。
【００３６】
また、例えば、前記バケット体４と前記走行体１又は前記走行体１の昇降取付部２若しくはこの昇降取付部２に取り付ける前記取付基体３とに連結され、下方へ回動する際のバケット体４の過回動を阻止して前記弾性体８が破損することを阻止する連結部材14を設ければ、運搬物10の排出に際しバケット体４が下方へ必要以上に過回動することによって弾性体８が破損してしまうことを確実に阻止できるため、この弾性体８による自動戻り回動構造が簡単に壊れることはない。
【実施例】
【００３７】
本発明の具体的な実施例について図面に基づいて説明する。
【００３８】
本実施例のバケット体４は、図１〜図３に示すように、底板部４Ａの基端部に背板部４Ｂを立設し、底板部４Ａの左右端部に左右側板部４Ｃを立設して、先端側の導入部から底板部４Ａ上に導入される雪や土などの運搬物10を背板部４Ｂと左右側板部４Ｃで支承するように構成している。
【００３９】
また、このバケット体４は、先端部左右方向に所定突出長さの導入傾斜案内板20を設け、更に、バケット体４裏面側の底板部４Ａから背板部４Ｂにかけて複数（図面では左右二本）前後方向にバケット体４を補強する板状の補強体19Ａを突設して、この補強体19Ａが接地部19となるように構成している。
【００４０】
また、本実施例では、このバケット体４を取付基体３に回動自在に設け、この取付基体３を走行体１に操作によって昇降駆動するように設けられている昇降取付部２に取り付けることで、走行体１に対しバケット体４を昇降自在に設けている。
【００４１】
そして、この走行体１の移動（走行）によりバケット体４内に土や雪などの運搬物10を導入し、走行体１を移動することで運搬すると共に、バケット体４を回動させることで先端側の導入部から底板部４Ａ上の運搬物10を滑走排出し得るように構成している。
【００４２】
具体的には、走行体１としてのトラクター１（以下、トラクター１と称す。）の昇降取付部２にバケット体４を備えた取付基体３を取り付ける。
【００４３】
即ち、トラクター１の後部には、アタッチメント連結部が昇降駆動自在に設けられているが、本実施例では、このアタッチメント連結部（三点取付部）を昇降取付部２として取付基体３を取り付けできるように構成している。
【００４４】
また、このバケット体４は、取付基体３を昇降取付部２に取り付けた際に回動ロック機構11により略水平に保持され、この回動ロック機構11の解除操作部９を操作することで、バケット体４が先端側を下方へ自重により自動的に回動するように構成している。
【００４５】
更に説明すると、取付基体３は、略逆Ｕ字状の枠体で構成し、この取付基体３の一側面側（図４中の左側）にバケット体４を取り付け、他側面側に昇降取付部２を取り付けできるように設けている。
【００４６】
先ず、この取付基体３へのバケット体４の取付構造を説明する。
【００４７】
図２に示すように、取付基体３の遊離両端部の下端をこの取付基体３の一側面側へ屈曲形成してこの取付基体３が側方より見てＬ形を呈するように構成し、この夫々の屈曲下端部を支点部５として前記バケット体４の底板部４Ａに突設した前記補強体19Ａの後部寄りを回動自在に枢着（軸12止め）し、バケット体４の背板部４Ｂが取付基体３に当接することでこの状態以上バケット体４が上方へは回動せず、且つ前記支点部５がバケット体４の重心より後方に位置していることにより、これを支点としてバケット体４の前方（導入傾斜案内板20側）が取付基体３に対し下方へ自重により自動的に回動するように構成している。
【００４８】
また、必要以上にバケット体４が下方へ過回動しないように、取付基体３側とバケット体４側とをチェーンを採用した連結部材14（以下、チェーン14と称す。）で連結し、図示していないが、このチェーン14の取付基端部は、チェーン14が緊張して回動阻止した際の衝撃を吸収し騒音を防止するため、ゴムなどの衝撃吸収材を用いて連結固定している。従って、このチェーン14により、バケット体４の下方への過回動が確実に阻止される構成としている。また、この過回動が原因で後述の弾性体８が伸びきって壊れてしまうことのないようにチェーン14の長さを設定する。即ち、バケット体４は、図６に示すように底板部４Ａが滑走排出するに十分な傾斜角度となるまで傾けば（回動すれば）良いので、この図６の傾斜角度程度まででバケット体４の下方への回動が阻止されるようにチェーン14の長さを設定構成し、これにより弾性体８の破損を防止して長寿命化を図り、商品性を高めている。尚、この連結部材14は、チェーン14以外にもワイヤーやその他の部材を採用して構成しても良い。
【００４９】
また、このバケット体４の背板部４Ｂの上縁部には上部連結部７を設け、この上部連結部７が係止連結する連結解除部６を取付基体３の上縁部に設けて、この連結解除部６と上部連結部７との係止連結によってバケット体４が略水平に保持されるように構成し、この連結解除部６と上部連結部７との係止を外す解除操作によって前述のようにバケット体４が自動的に回動するように前記回動ロック機構11を構成している。
【００５０】
更に詳しくは、取付基体３の上部に取付板部22を左右対設状態に設け、この左右の取付板部22間に連結解除部６としての板状のフック部材６Ａの基部を枢着（軸16止め）してこのフック部６Ａを起伏回動自在に設け、このフック部材６Ａは、このフック部材６Ａと取付板部22とに接続した弾性体11Ａ（抗張弾性を有するコイルバネ）によって常に下方へ伏動しようとする方向に付勢される構成とし、このフック部材６Ａの下縁の凹所をバケット体４の背板部４Ａの上縁中央部に突設した丸杆状の上部連結部７に上方から係止させると、弾性体11Ａの付勢力によってこのフック部材６Ａの係止連結状態が維持される前記回動ロック機構11を構成している（図８参照）。
【００５１】
また、このフック部材６Ａの基部には、このフック部材６Ａと連動する解除操作部９としての解除レバー９を固着すると共に、この解除操作部９はフック部材６Ａより上方へ位置するように突設することで取付基体３の上方、即ちトラクター１の運転席の後方へ配置する構成とし、この解除操作部９を上方へ引き上げるように操作すると、これに連動してフック部材６Ａが上昇移動して上部連結部７への係止連結が外れる（回動ロック機構11が解除される）構成としている（図９参照）。
【００５２】
即ち、解除操作部９は、図５〜図７に示すように、トラクター１の運転席の運転者が後方へ手を伸ばせば届く位置に設けている。
【００５３】
次に、取付基体３の昇降取付部２への取付構造を説明する。
【００５４】
図２〜図４に示すように、取付基体３の中程の他側面側の両側に、三点昇降取付部２の下方の二点２Ａ・２Ｂに連結する連結杆３Ａ・３Ｂを突設すると共に、この取付基体３の遊離両端部の中程間に架設した補強桟３Ｅの略中央位置から、他側面側の外方へ向けて起伏回動自在に棒状の連結係止部材３Ｃを突設し、この連結係止部材３Ｃの突出先端側を前記三点昇降取付部２の上部一点２Ｃ（フック部）に着脱自在に係止し得るように構成している。
【００５５】
即ち、この取付基体３は、連結杆３Ａ・３Ｂと連結係止部材３Ｃとの三点を、三点昇降取付部２の各点２Ａ・２Ｂ・２Ｃに連結することで、この昇降取付部２に安定的に取り付けられる構成としている。
【００５６】
また、取付基体３の上部と連結係止部材３Ｃの突出先端部の間には、回動操作することで伸縮する構造の伸縮部材３Ｄを架設固定し、この伸縮部材３Ｄを伸縮調整することで（取付基体３に対する連結係止部材３Ｃの角度を調整して）昇降取付部２に対する取付基体３の取付角度を調整し得るように構成している。従って、これにより例えば様々な形のバケット体４が実施されているが、どのような形のバケット体４を適用した場合であっても、この取付基体３に取り付けたバケット体４を適正な状態（例えば、底板部４Ａが略水平となる状態）に角度調整できるようにしている。
【００５７】
また、前記連結杆３Ａ・３Ｂは、夫々取付板13に設け、この夫々の取付板13を前記取付基体３中程の両側に止着することで取付基体３の他側面側に連結杆３Ａ・３Ｂを設ける構成とすると共に、この各取付板13は位置変更手段23を介して取付基体３に止着して連結杆３Ａ・３Ｂの位置を取付基体３の上下方向に位置変更可能に構成している。
【００５８】
この位置変更手段23を説明すると、各取付板13に、複数の止孔と上下に長さのある長止孔とを上下並設状態に形成する一方、取付基体３の遊離両端部の夫々の外側面部の上下二箇所に止着孔を形成し、この取付基体３の上側の止着孔に取付板13の上側の複数の止孔のいずれかを位置合わせしてボルトを採用した止着具により止着すると共に、取付基体３の下側の止着孔に取付板13の下側の長止孔を位置合わせしてボルト（止着具）止めすることで取付基体３に取付板13は止着固定でき、この上側のボルトを外すと共に下側のボルトを緩めることで取付板13を上下に移動でき、取付板13の複数の止孔の位置を任意に選択して再びボルト止めすることで、取付板13の位置を変更固定できるように構成している。
【００５９】
従って、これによりメーカーによって前記下方の二点２Ａ・２Ｂと上部一点２Ｃとの上下間隔寸法の異なる昇降取付部２（アタッチメント連結部）に対応使用できるようにしている。また、下方の二点２Ａ・２Ｂの左右間隔が異なるものに対しては、例えば、これに対応可能な連結杆３Ａ・３Ｂを備えた他の取付板13を用意し交換することなどで対応するようにしても良い。
【００６０】
即ち、本実施例では、伸縮部材３Ｄによる昇降取付部２への取付角度調整構造と、連結杆３Ａ・３Ｂの上下位置調整構造（及び例えば交換構造）とを備えることによって、どのようなタイプのバケット体４であっても取付基体３に適用でき、またどのメーカーのトラクター（走行体１）に対しても、バケット体４（取付基体３）を取り付けできる構成を実現している。
【００６１】
また、本実施例では、前記連結解除部６（フック部材６Ａ）並びに解除操作部９が必要以上に過回動することを阻止するストッパー15を取付基体３の上縁部に設けている。
【００６２】
具体的には、対設する前記取付板部22の上部間に棒状のストッパー15を架設すると共に、このストッパー15はフック部材６Ａと解除操作部９の間に位置するようにして設け、このストッパー15にフック部材６Ａの上縁が当接係止することで必要以上にフック部６Ａが上方へ回動することが阻止され、且つ解除操作部９の下縁が当接係止することで必要以上にフック部材６Ａが下方へ回動することが阻止されるように構成している。
【００６３】
また、更に説明すると、ストッパー15によりフック部材６Ａが上動阻止された状態では前記連結係止部７からこのフック部６Ａが十分に外れ（図９参照）、且つストッパー15により解除操作部９が下動阻止された状態では、連動するフック部材６Ａが連結係止部７と略同じ高さ位置に存することとなる（図１０参照）ようにストッパー15の位置を設定構成している。
【００６４】
これにより、解除操作部９の操作を適正な（最小限の）回動範囲で行えるので、無駄な操作を伴わず、操作性が向上することになる。
【００６５】
また、本実施例では、連結解除部６を上部連結部７に係止した状態で解除操作部９を解除不能状態に保持する補助ロック機構17を備え、誤操作により意に反してバケット体４が回動してしまうことを防止している。
【００６６】
具体的には、フック部材６Ａを設ける前記左右の取付板部22に夫々位置を合せて図示省略の貫通孔を形成すると共に、フック部材６Ａが上部連結部７に係止した状態でこの貫通孔と位置が合致するようにフック部材６Ａに合わせ孔17Ａを形成し、この貫通孔と合わせ孔17Ａとの位置を合せて係止ピン17Ｂを貫通装着することでフック部材６Ａが上部連結部７に係止連結した状態が保持される前記補助ロック機構17を構成し、係止ピン17Ｂを少なくとも合わせ孔17Ａから挿脱することでこの補助ロック機構17は解除されて解除操作部９を解除操作可能となるようにしている。また、この係止ピン17Ｂは、いずれか一方の貫通孔に対して抜け止め状態に設け、使い易さを向上させている。
【００６７】
本実施例では、バケット体４と前記走行体１又は前記走行体１の昇降取付部２若しくはこの昇降取付部２に取り付ける前記取付基体３とに接続され前記回動したバケット体４を戻り回動付勢する弾性体８を設けている。
【００６８】
また、この弾性体８は、前記回動したバケット体４に運搬物10を収納している状態では、前記連結解除部６と前記バケット体４の上部連結部７との連結を解除すると、この運搬物10を含むバケット体４の重量が勝ってこのバケット体４が弾性体８の付勢力に抗して自動的に下方へ回動することになり、この回動したバケット体４から運搬物10が略全て滑走排出すると、略空になったバケット体４の重量（バケット体４自体の重量）に前記弾性体８の戻り回動付勢が勝って自動的にバケット体４が戻り回動し前記連結解除部６にバケット体４の上部連結部７が自動係止連結することになる強さの弾性度を有するものを採用している。
【００６９】
具体的には、前記弾性体８は、抗張弾性を有するコイルバネを採用し、一端を前記取付基体３に接続し、他端を前記バケット体４の前記支点部５より上部に接続している。
【００７０】
更に説明すると、コイルバネ８の一端を取付基体３の下部左右の屈曲部に夫々外側に向けて突設した取付杆18に連結し、他端をバケット体４の背板部４Ｂの中程であって前記補強体19Ａに隣接状態に設けた接続片21に連結している。
【００７１】
従って、係止連結を解除することで下方へ回動したバケット体４から運搬物10が滑走排出すると、バケット体４の重量に勝る前記弾性体８の戻り回動付勢力により自動的にバケット体４が戻り回動し、連結解除部６にバケット体４の上部連結部７が自動係止することになる構成としている。
【００７２】
また、この際、例えば、排出する箇所の地面が高かったりすると、図６のようにバケット体４から排出した運搬物10が地面に積み上がってバケット体４内に残り、この残った運搬物10によってバケット体４の自動戻り回動が阻止されてしまうことがある。このような場合には、例えば、単にそのまま排出した運搬物10から離れるように走行体１を走行させるだけで、バケット体４内から十分に運搬物10を排出することができ、これによって前記自動戻り回動が行われることになる（図７参照）。
【００７３】
また、連結解除部６が上部連結部７に自動係止連結する構造は、フック部材６Ａの図８〜図１１において左側となる先（前）端縁部を前傾した湾曲傾斜縁に形成し、このフック部材６Ａの先端縁に図面左側から右側へ回動移動する連結係止部７が接すると、この連結係止部７が図面右側に移動するにつれて傾斜する先端縁によりフック部材６Ａが上方へ押し上げられるように回動移動し、やがてこのフック部材６Ａ（の凹所）が連結係止部７に係止連結することになる構成としている。従って、自動戻り回動の際の自動係止連結もスムーズに行われる構成であり、また、この自動連結構造は簡易な構成であるため、実現化が容易となる。
【００７４】
尚、本発明は、本実施例に限られるものではなく、各構成要件の具体的構成は適宜設計し得るものである。
【００７５】
例えば、本実施例では、取付基体３にバケット体４を設けて、この取付基体３を走行体１の昇降取付部２に取り付ける場合を示したが、昇降取付部２にバケット体４を取り付ける構成としても良い。
【００７６】
また、本実施例では、バケット体４と取付基体３とに弾性体８を接続した場合を示したが、バケット体４と走行体１とに弾性体８を接続する構成としても良いし、バケット体４と昇降取付部２とに弾性体８を接続する構成でも良い。
【００７７】
また、本実施例では、バケット体４と取付基体３とに連結部材14を連結した場合を示したが、バケット体４と走行体１とに連結部材14を接続する構成としても良いし、バケット体４と昇降取付部２とに連結部材14を接続する構成でも良い。
【図面の簡単な説明】
【００７８】
【図１】本実施例の使用状態（運搬機）を示す斜視図である。
【図２】本実施例の取付基体とバケット体との分解状態を示す説明斜視図である。
【図３】本実施例の運搬バケットを示す斜視図である。
【図４】本実施例の運搬バケットと走行体の昇降取付部との分解状態を示す説明斜視図である。
【図５】本実施例の使用状態における運搬物をバケット体内に導入した状態を示す説明図である。
【図６】運搬物を収納したバケット体を上昇させた後、バケット体を下方へ回動させて運搬物を排出させた状態を示す説明図である。
【図７】バケット体を回動させた後、そのまま走行体を走行させて運搬物を十分に排出したことで、バケット体が自動戻り回動した状態を示す説明図である。
【図８】本実施例の回動ロック機構を示す部分拡大説明図である。
【図９】回動ロック機構を解除した状態を示す部分拡大説明図である。
【図１０】回動ロック機構を解除したことにより、バケット体が下方へ自動回動する状態を示す部分拡大説明図である。
【図１１】バケット体が自動戻り回動して再び上部連結部が連結解除部に係止連結しようとする状態を示す部分拡大説明図である。
【符号の説明】
【００７９】
１  走行体
２  昇降取付部
３  取付基体
４  バケット体
５  支点部
６  連結解除部
７  上部連結部
８  弾性体
９  解除操作部
10  運搬物
14  連結部材
【図１】
2005146640.tif 000003
【図２】
2005146640.tif 000004
【図３】
2005146640.tif 000005
【図４】
2005146640.tif 000006
【図５】
2005146640.tif 000007
【図６】
2005146640.tif 000008
【図７】
2005146640.tif 000009
【図８】
2005146640.tif 000010
【図９】
2005146640.tif 000011
【図１０】
2005146640.tif 000012
【図１１】
2005146640.tif 000013